(57)【要約】【課題】記録容量を損なうことなく、好適なライトストラテジを得ることのできる情報記録再生装置を提供する。【解決手段】この発明の１つの実施の形態を用いることで、受光素子３により受光された信号をＡＣ結合器２１によりＡＣ結合したのち、スライサ２３で２値化して、マーク／スペースそれぞれの実符号長を求め、位相差検出器２５により予め用意されている理想符号長と実符号長とを比較して位相差を求められた位相差に基いて、レーザ素子に供給するレーザ駆動信号を変化することにより、再生信号のアシンメトリを低減できる。【選択図】図２
2009015888.tif 000002
【特許請求の範囲】
【請求項１】
記録媒体に向けて所定波長の光を照射するレーザ素子と、
記録媒体で反射された反射レーザ光を受光して、その光強度に対応する信号を出力する受光素子と、
前記受光素子により受光された信号を、ＡＣ結合するＡＣ結合器と、
前記ＡＣ結合器を通過した信号をスライスするスライサと、
前記スライサによりスライスされた信号の符号長と、予め用意されている理想符号長とを比較して位相差を求める位相差検出器と、
この位相差検出器により求められた位相差に基いて、前記レーザ素子に供給するレーザ駆動信号を変化するパルス生成器と、
を有することを特徴とする情報記録再生装置。
【請求項２】
前記位相差検出器は、前記受光素子により検出される信号のアシンメトリの大きさを、前記スライサから出力される信号の符号長と理想符号長との位相差として求めることを特徴とする請求項１記載の情報記録再生装置。
【請求項３】
前記パルス生成器は、前記位相差検出器により検出された位相差に応じて、前記レーザ素子に供給するパルス信号のライトストラテジを変更することを特徴とする請求項１記載の情報記録再生装置。
【請求項４】
マーク／スペースからなる記録済データで反射した反射レーザ光を受光素子により受光した再生ＲＦ信号をＡＣ結合したのち、スライサで２値化して、マーク／スペースそれぞれの実符号長を求め、
予め記憶されている理想符号長と実符号長との位相差を求め、
求められた位相差に基いて記録用レーザ光のライトストラテジを設定する    
ことを特徴とする再生信号のアシンメトリ補正方法。
【請求項５】
前記反射レーザ光を取得するための記録済データは、以前に記録された任意の記録位置の任意のデータである    
ことを特徴とする再生信号のアシンメトリ補正方法。
【請求項６】
マーク／スペースからなる記録済データで反射した反射レーザ光を受光素子により受光した再生ＲＦ信号をＡＣ結合したのち、スライサでスライスして、マーク／スペースそれぞれの実符号長を求め、
予め記憶されている理想符号長と実符号長との比を求め、
求められた比に基いて記録用レーザ光のライトストラテジを設定する    
ことを特徴とする再生信号のアシンメトリ補正方法。
【請求項７】
前記反射レーザ光を取得するための記録済データは、以前に記録された任意の記録位置の任意のデータである    
ことを特徴とする再生信号のアシンメトリ補正方法。
【発明の詳細な説明】
【技術分野】
【０００１】
この発明は、レーザ光を用いて情報記録媒体に情報を記録し、あるいは既に情報が記録されている情報記録媒体から情報を再生する情報記録再生装置に関する。
【背景技術】
【０００２】
情報の記録が可能な光ディスクであるＤＶＤ−Ｒ（Ｗｒｉｔｅ  ｏｎｃｅ）ディスクやＤＶＤ−ＲＡＭ／−ＲＷ（Ｒｅｗｒｉｔｅａｂｌｅ）ディスクにおいては、予めランドプリピットにアドレス情報が記録されている。また、ウォブルされたプリグルーブ上に、記録マークが形成される。なお、ランドプリピットやプリグルーブからの再生信号は、アドレス情報の再生やトラッキングサーボ信号として利用される。
【０００３】
このため、ランドプリピットやプリグルーブの情報を再生した再生信号は、できるだけ大きくできることが望まれている。
【０００４】
このような背景から、情報記録再生装置すなわち光ディスク装置では、安定した情報の記録あるいは再生のために、記録パワーや記録パルスの幅に代表される記録条件を最適化する手法が併用されている。
【０００５】
特許文献１には、追記型光ディスク等の記録媒体におけるライトストラテジを決定するために、光ディスク１回転分のデータを記録した領域を再生して、マーク長とそのマークの直前あるいは直後のスペース長との組み合わせ毎に測定した位相誤差に基いて、ライトストラテジを変更することで、最適な記録条件を決定するものが開示されている。
【特許文献１】特開２００３−３０８３７
【発明の開示】
【発明が解決しようとする課題】
【０００６】
しかしながら、上記文献に記載された手法では、光ディスク１回転分の試し書きエリアが必要であるばかりか、ピークホールド回路及びボトムホールド回路を含むアシンメトリ検出器が必要である。
【０００７】
この発明の目的は、記録容量を損なうことなく、好適なライトストラテジを得ることのできる情報記録再生装置を提供することである。
【課題を解決するための手段】
【０００８】
この発明は、上記問題点に基づきなされたもので、記録媒体に向けて所定波長の光を照射するレーザ素子と、記録媒体で反射された反射レーザ光を受光して、その光強度に対応する信号を出力する受光素子と、前記受光素子により受光された信号を、ＡＣ結合するＡＣ結合器と、前記ＡＣ結合器を通過した信号をスライスするスライサと、前記スライサによりスライスされた信号の符号長と、予め用意されている理想符号長とを比較して位相差を求める位相差検出器と、この位相差検出器により求められた位相差に基いて、前記レーザ素子に供給するレーザ駆動信号を変化するパルス生成器と、を有することを特徴とする情報記録再生装置である。
【発明の効果】
【０００９】
この発明の１つの実施の形態によれば、受光素子により受光されたＲＦ信号をＡＣ結合器によりＡＣ結合したのち、スライサでスライスして、マーク／スペースそれぞれの実符号長を求め、位相差検出器により予め用意されている理想符号長と実符号長とを比較して位相差を求められた位相差に基いて、レーザ素子に供給するレーザ駆動信号を変化することにより、再生信号のアシンメトリを低減できる。
【００１０】
すなわち、光ディスクに記録したマーク／スペースの位相差を、ＡＣモードでスライスして実符号長として理想符号長と比較するため、シンプルかつ適切なシステムでアシンメトリを低減可能な光ディスク装置が提供される。
【００１１】
特に、出現率が高く短い符号に顕著に見られる位相差を、ＡＣモードでスライスすることで、効率よくアシンメトリを調整（低減）できるストラテジ補正が可能である。
【００１２】
なお、位相差を求めるための記録マーク（データ）は、既に記録したエリアの記録マークを用いることができ、位相差測定のために光ディスクに試し書きをする必要がなく、ＣＤ−Ｒ、ＤＶＤ−Ｒ等の上書き不可の光ディスクメディアに対しても有効である。
【発明を実施するための最良の形態】
【００１３】
以下、図面を参照して、本発明の実施の形態について説明する。
【００１４】
図１は、この発明の実施の形態が適用可能な情報記録再生装置（光ディスク装置）の一例を示す。
【００１５】
図１に示す光ディスク装置（情報記録再生装置）１０１は、所定波長のレーザ光を記録媒体すなわち光ディスクＤの記録面に案内するとともに、記録面で反射された反射レーザ光を取り込む光ヘッド（ピックアップユニット、以下ＰＵＨと称する）１１、及びＰＵＨ１１を光ディスクＤの記録面に沿うとともに、半径方向に移動させる送りモータ１０３を含む。なお、ＰＵＨ１１は、レーザ光を出射する半導体レーザ素子と、反射レーザ光を受光して、その光強度に対応する出力信号を出力する受光素子を含む。また、光ディスクＤは、ディスクモータ１０５により、所定の速度で回転される。
【００１６】
より詳細には、図２に示すように、ＰＵＨ１１に一体的に設けられる半導体レーザ素子１から出射されたレーザ光は、コリメートレンズ１３によりコリメートされ、その大部分がビームスプリッタ１５を透過し、対物レンズ１７により、光ディスクＤの記録面に集光される。
【００１７】
光ディスクの記録面で反射された反射レーザ光は、対物レンズ１７により取り込まれ、ビームスプリッタ１５により反射されて、結像レンズ１９により、ＰＵＨ１１に一体的に設けられる受光素子３の受光面に集光される。
【００１８】
受光素子３の出力は、アンプ（増幅器）５を介して所定のレベル（信号強度）に増幅され、再生ＲＦ信号として利用される。
【００１９】
通常の信号再生時には、アンプ５から出力された再生ＲＦ信号は、デコーダ７によりデコードされ、復調、エラー訂正等の処理が実行され、コントローラとメモリ（コントローラ及びメモリユニット）９により、一時的に保持される。
【００２０】
一方、アンプ５により増幅された再生ＲＦ信号は、ＡＣ結合器２１を介してスライサ２３にて２値化され、位相差検出部２５に供給される。なお、スライサ２３の出力のとして得られた符号長は、実符号長（再生波形）として一時的に保持される。
【００２１】
コントローラ及びメモリユニット９のメモリ部には、規格から求められた理論値である理想符号長が蓄積（保持）されており、位相差検出部２５において、先に保持した実符号長と理想符号長とが比較され、位相差が検出される。
【００２２】
位相差検出部２５にて検出された位相差情報は、位相差検出部２５により、ライトストラテジ補正情報に変換され、パルス生成部２９へ供給される。
【００２３】
パルス生成部２９は、エンコーダ２７において、デコーダ７における復調結果あるいはエラー訂正等に対応した誤り訂正符号の付加及び８−１６変調が施された結果と、位相差検出部２５により生成（変換）されたライトストラテジ補正情報とに基いて、記録レーザパルス波形を作成する際に、ライトストラテジ（記録レーザパルス波形）を変更する。
【００２４】
以下、コントローラ及びメモリユニット９による制御（コントローラ９から送られた記録パワー情報）により、レーザドライバ３１から、変調されたレーザ駆動信号が半導体レーザ素子１に供給され、ライトストラテジが変更されたレーザ光が出力される。
【００２５】
なお、本提案の実施の形態では、上記位相差が０になるように、ライトストラテジを補正し、理想符号長へ近づけることとする。従って、全ての符号が理想符号長になるように記録メディアに記録された時、その再生ＲＦ信号のアシンメトリ（ａｓｙｍｍｅｔｒｙ）は、０％となる。
【００２６】
アシンメトリは、ＲＦ信号の対称性が崩れた際に、データの判定すべきレベルが中心からずれる量を、全体の振幅の比として示したもので、光ディスクの記録膜の特性やＰＵＨの特性により変動することが知られている。なお、アシンメトリ（アシンメトリレベル）が高いと、ジッタ（エラーレート）が増加する。
【００２７】
アシンメトリ（アシンメトリレベル）は、図３（ａ）に概略を示すように、上側の振幅Ａ１と下側の振幅Ａ２が０レベルに対して相互に等しいことが最良であるが、最適ライトパワーより強いライトパワーで記録した場合、再生ＲＦ信号をＡＣ結合した波形は、図４（ａ）に示すように、上側の振幅Ａ３が下側の振幅Ａ４より大きくなる。
【００２８】
従って、再生ＲＦ信号のアシンメトリが０％となるように記録されるのが望ましいが、記録メディア（光ディスク）の種類、記録メディア内の記録位置、記録パワーなどの要因により、０％で記録されない場合が多い。その対策の１つとして、記録前や記録中にライトストラテジの最適化を行って、アシンメトリを補正する手法が知られている。
【００２９】
次に、アシンメトリを最適化するために、３Ｔ（Ｔは、変調信号のクロック（チャンネルクロック）周期）や４Ｔ等の出現率が高い、短い符号の位相差について考察する。
【００３０】
スライサ２３で２値化された信号を、コントローラ及びメモリユニット９のメモリに蓄積されている理想符号長と比較して位相差とし、その位相差を、次回記録する際のライトストラテジへと反映させることとする。位相差の検出法には、いくつかの手法が考えられるが、その１つとして、符号を一定数サンプリングし、各符号のＭａｒｋ（マーク）とその直後のＳｐａｃｅ（スペース）、あるいはＭａｒｋ（マーク）とその直前のＳｐａｃｅ（スペース）といった組み合わせを用いて、理想符号長と比較する方法が挙げられる。
【００３１】
位相差が出やすい３Ｔや４Ｔなど出現率が高い短い符号を、ＡＣモードでスライスすることで、効率良く、アシンメトリレベルが０％になるようにライトストラテジを補正することができる。
【００３２】
より詳細には、光ディスクに記録される記録マークの変調方式としては、ＣＤ系においては、ＥＦＭ（Ｅｉｇｈｔ  Ｆｏｕｒｔｅｅｎ  Ｍｏｄｕｌａｔｉｏｎ）が、ＤＶＤ系においては、８−１６  Ｍｏｄｕｌａｔｉｏｎ（Ｅｉｇｈｔ  Ｆｏｕｒｔｅｅｎ  Ｍｏｄｕｌａｔｉｏｎ  Ｐｌｕｓ）が、広く利用されている。なお、Ｔは、それぞれの変調方式で決まる係数により規定される。
【００３３】
ところで、ＤＳＶ（Ｄｉｇｉｔａｌ  Ｓｕｍ  Ｖａｌｕｅ）＝０（ビット列を平均すると０と１の時間的割合が等しい）をスライサとして利用する場合、図３（ａ）に示したように、アシンメトリが０である場合には、図３（ｂ），（ｃ）に示すように、２値化（スライス）されたＲＦ信号の実符号長と理想符号長が実質的に一致する良好な再生ＲＦ信号が得られるが、アシンメトリが大きくなるにつれて、ＤＳＶ＝０となるように、スライスレベルをフィードバック制御して、ＲＦ信号のアシンメトリレベルにスライスレベルを追従させることが必要である。
【００３４】
しかし、この方式を用いると出現率の高い短い符号（ＣＤやＤＶＤでは３Ｔ）のマーク（Ｍｒａｋ）長とスペース（Ｓｐａｃｅ）長が同じ長さになるように、スライスレベルをフィードバックさせることになる。従って、各符号の交互作用を考慮して、ストラテジを調整し、アシンメトリレベルを補正しなくてはならない。
【００３５】
これに対し、本提案の実施の形態（ＡＣ結合）を用いることで、スライスレベルは固定される。そのレベルでスライスされて２値化された実符号長と、コントローラ及びメモリユニット９に蓄積されている理想符号長とを比較することで、各Ｍａｒｋ（マーク）／各Ｓｐａｃｅ（スペース）の位相差を検出することができる。
【００３６】
ＡＣ結合を用いた本提案のスライスレベルは、出現率の高い短い符号、特にＭａｒｋ・Ｓｐａｃｅの割合が等しくなるような３Ｔ，４Ｔ信号において影響を受けにくいため、各符号の出現率を、周知の手法ほど考慮することなくアシンメトリレベルを０％へ調整することができる。
【００３７】
実際には、図４（ｂ），（ｃ）に示すように、３Ｔ  Ｍａｒｋ長が理論値より長く、３Ｔ  Ｓｐａｃｅ長が理論値より短い再生ＲＦ信号が得られた場合、最適ライトパワーより強いライトパワーで記録されたことが分かる。反対に、３Ｔ  Ｍａｒｋ長が理論値より短く、３Ｔ  Ｓｐａｃｅ長が理論値より長い場合は、最適パワーより弱いライトパワーで記録されたことを意味する。
【００３８】
なお、記録（ライト）パワーが最適パワーより強い場合も、弱い場合も、再生ＲＦ信号の中心が最も短い符号である３Ｔの中心ではなくなる。ライトパワーが強い場合には、ＡＣ結合によりスライスすると、図４（ｂ）及び（ｃ）に点線で示すように、Ｍａｒｋが長く、Ｓｐａｃｅが短くなる。すなわち、位相差は、理想符号長に対する実符号長の比としてとらえることもできる。
【００３９】
従って、スライサ２３で２値化された３Ｔ  Ｍａｒｋ長／３Ｔ  Ｓｐａｃｅ長のそれぞれの実符号長（図４（ｂ））を、コントローラ及びメモリ９に蓄積されている理想符号長（図４（ｃ））と比較して位相差とし、その位相差を、次回記録する際のライトストラテジに反映させることで、効率良くアシンメトリレベルが０％になるようにライトストラテジを補正することができる。
【００４０】
なお、ライトストラテジを補正する方法としては、例えばＭａｒｋ（マーク）の前端を形成する記録レーザパルスのＦｉｒｓｔ  ｐｕｌｓｅ（ファーストパルス）幅や、Ｍａｒｋ（マーク）の後端を形成する記録レーザパルスのＬａｓｔ  ｐｕｌｓｅ（ラストパルス）幅を調整する手法などが広く利用されている。
【００４１】
図５は、上述したライトストラテジの変更（調整）の手順の一例を示す。
【００４２】
図５に示すように、最初に所定の記録パワーに設定されたレーザ光を半導体レーザ素子１から出力し、記録媒体（光ディスク）の任意の位置に、記録マークを形成する［記録］。
【００４３】
次に、ストラテジ調整として、再生パワーに設定されたレーザ光を半導体レーザ素子１から出力し、光ディスク（記録媒体）に記録された記録マークを読み取る［再生］。
【００４４】
以下、受光素子３で光電変換され、アンプ５により増幅された再生ＲＦ信号をスライサ２３で２値化し、３Ｔ  Ｍａｒｋ長／３Ｔ  Ｓｐａｃｅ長（実符号長）を得る［スライス］。
【００４５】
このようにして得られた実符号長（図４（ｂ）に相当）とコントローラ及びメモリ９のメモリ部に予め記憶されている理想符号長（図４（ｂ）に相当）とを比較して位相差を得たのち［位相差取得］、次のデータ記録時のライトストラテジを変更する［ストラテジ変更］。
【００４６】
なお、次の記録は、必ずしも引き続いて実行されるとは限らず、ストラテジ変更のための「ストラテジ補正情報」は、コントローラ及びメモリ９のメモリ部に格納されてもよいことはいうまでもない。また、Ｍａｎｕｆａｃｔｕｒｅ（マニュファクチャ）ＩＤ（製造者識別、と称される）ごとに最適化されたストラテジがメモリに無い場合、または未知のメディア（光ディスク）に記録を行う場合、等において、基準とするストラテジから調整を行って、調整が完成した場合、その調整後のストラテジをコントローラ及びメモリ９に保存することにより、次回、同メディアが挿入された場合、Ｍａｎｕｆａｃｔｕｒｅ  ＩＤ等を用いて、メモリからストラテジ補正情報を参照できる。
【００４７】
また、［記録］に利用される領域は、周知のＰＣＡ（Ｐｏｗｅｒ  Ｃａｌｉｂｒａｔｉｏｎ  Ａｒｅａ）に限らず、通常データの記録に用いられるデータエリアであってもよい。特に、データエリアが利用される場合には、データエリアへの通常の記録中に記録を一時停止して、記録後の領域を再生し、位相差を測定して、引き続く記録において、補正したライトストラテジを用いることも可能である。
【００４８】
ストラテジの調整は、より詳細には、図６に示すように、計測するエリアへＰＵＨ１１をシークし（６−１）、記録済データの再生ＲＦ信号を取得し（６−２）、ＡＣ結合（ＡＣモード）でスライス（２値化）する（６−３）。
【００４９】
次に、スライス（２値化）により得られた実符号長と理想符号長とを比較し（実符号長＝理想符号長か？（６−４））、実符号長＝理想符号長である場合（６−４−Ｙ）には、ストラテジを変更せずに終了となる（６−５）。
【００５０】
スライス（２値化）により得られた実符号長と理想符号長とが一致しない場合（実符号長≠理想符号長，６−４−Ｎ）には、ストラテジの補正量を算出し（６−８）、ストラテジが変更される（次回記録時のストラテジとしてセットされる）（６−９）。
【００５１】
なお、上述したＡＣ結合を用いたスライス（２値化）とストラテジの変更は、書き換え可能（Ｒｅｗｒｉｔｅａｂｌｅ）型ディスクのみならず、追記（Ｗｒｉｔｅ  ｏｎｃｅ）型ディスクにも適用可能である。また、既に記録したエリアの記録マークを再生することにより位相差を検出できるため、（試し書き用のエリアが（必ずしも）必要ではなく、）ＣＤ−ＲやＤＶＤ−Ｒ等に代表される記録媒体において、記録可能な記録容量を消費する虞もない（位相差測定のために光ディスクの約１回転分のエリアを使用して試し書きをする必要がなく、ＣＤ−Ｒ、ＤＶＤ−Ｒを始めとする上書き不可の光ディスクメディアに対しても有効である）。
【００５２】
なお、本発明の内容はここに記述した形態だけに限定されるものではなく、その主旨を逸脱しない範囲で、他にも様々な形態を取り得ることはいうまでもない。また、各実施の形態は、可能な限り適宜組み合わせて、もしくは一部を削除して実施されてもよく、その場合は、組み合わせもしくは削除に起因したさまざまな効果が得られる。
【図面の簡単な説明】
【００５３】
【図１】この発明の実施の形態が適用可能な情報記録再生装置（光ディスク装置）の一例を示す。
【図２】図１に示した情報記録再生装置（光ディスク装置）のスライス部（ＡＣ接続）の一例を示す概略図。
【図３】図１に示した情報記録再生装置（光ディスク装置）による再生信号のアシンメトリを説明する概略図。
【図４】図１に示した情報記録再生装置（光ディスク装置）による再生信号のアシンメトリを説明する概略図。
【図５】この発明の実施の形態の一例であるライトストラテジを変更する方法の一例を説明する概略図。
【図６】図５により説明したライトストラテジを変更する方法の一例をより具体的に説明するフローチャート。
【符号の説明】
【００５４】
１…半導体レーザ素子、３…受光素子、５…アンプ（増幅器）、７…デコーダ、９…コントローラ及びメモリユニット、１５…ビームスプリッタ、１１…ＰＵＨ（光ヘッド）、１３…コリメートレンズ、１５…ビームスプリッタ、１７…対物レンズ、１９…結像レンズ、２１…ＡＣ結合器、２３…スライサ、２５…位相差検出部、２７…エンコーダ、２９…パルス生成部、３１…レーザドライバ。
【図１】
2009015888.tif 000003
【図２】
2009015888.tif 000004
【図３】
2009015888.tif 000005
【図４】
2009015888.tif 000006
【図５】
2009015888.tif 000007
【図６】
2009015888.tif 000008